(57)【特許請求の範囲】
【請求項１】
自動車に配索される一又は複数の高圧導電路と、該高圧導電路の外装部材となる金属管体とを備え、該金属管体の端末外面と、端面と、端末内面とを、高電圧であることの認識が可能な色の収縮チューブの折り返しで覆う
ことを特徴とする自動車用高圧ワイヤハーネス。
【請求項２】
自動車に配索される一又は複数の高圧導電路と、該高圧導電路の外装部材となる金属管体とを備え、該金属管体の外面の一部を、平面視台形形状に切断処理してなる高電圧であることの認識が可能な色の収縮チューブを用いて覆うものとし、且つ、前記台形形状における上底及び下底に相当する部分のうち長い方をワイヤハーネス配索後の目視可能な側に配置する
ことを特徴とする自動車用高圧ワイヤハーネス。
【請求項３】
自動車に配索される一又は複数の高圧導電路の外装部材となる金属管体に対し、該金属管体の全長よりも長く、かつ該金属管体の外側に高電圧であることの認識が可能な色の収縮前の収縮チューブを準備する第一工程と、
前記金属管体の外側に前記収縮前の収縮チューブを挿入して該収縮前の収縮チューブの端末が金属管体の端末から所定の長さ外側に離れるように位置決めし、該収縮前の収縮チューブを前記金属管体に対しブカブカの状態で所定位置にセットする第二工程と、
前記金属管体に対し該金属管体の端末外面と、端面と、端末内面とを、前記収縮前の収縮チューブの端末を折り返しによって前記金属管体の内部へ挿入して覆いセットする第三工程と、
前記収縮前の収縮チューブが全体的に所定の温度となる熱を掛け、該収縮チューブを収縮させて前記金属管体に密着させる第四工程と、
前記金属管体の所定位置に曲げ加工を施して三次元的な形状にする第五工程と、
を含む
ことを特徴とする自動車用高圧ワイヤハーネスの製造方法。
【発明の詳細な説明】
【技術分野】
【０００１】
本発明は、金属管体を含む自動車用高圧ワイヤハーネスと、このワイヤハーネスの製造方法とに関する。
【背景技術】
【０００２】
下記特許文献１に開示されたワイヤハーネスは、三本の高圧電線と、この三本の高圧電線を一本ずつ収容して保護するための三本の金属保護パイプとを備えて構成されている。高圧電線は、車両の前側に搭載されるモータと、車両の中間又は後側に搭載されるインバータとを接続するものとして備えられている。
【０００３】
ワイヤハーネスは、車体フレームの外側となる車体床下を通って配索されるようになっている。このため、金属保護パイプは石跳ねや水跳ねから高圧電線を保護することができるように形成されている。金属保護パイプは、石跳ねや水跳ねから高圧電線を保護し且つ高圧電線の撓みを防止する剛性を有するとともに、金属製であることから電磁シールド機能も有している。
【０００４】
ワイヤハーネスは、真っ直ぐな状態の金属保護パイプに高圧電線を挿通し、これを三本分行った後に、車体床下におけるワイヤハーネスの配索経路に沿って金属保護パイプに曲げを施すことにより製造されている。ワイヤハーネスは、ハーネスメーカーの工場で上記の如く製造された後に、自動車メーカーの組み立て工場へと搬送されて車両の所定位置に組み付けられ、これにより配索が完了するようになっている。
【先行技術文献】
【特許文献】
【０００５】
【特許文献１】特開２００４−２２４１５６号公報
【発明の概要】
【発明が解決しようとする課題】
【０００６】
高圧電線を備えるワイヤハーネスにあっては、これが高電圧であることを認識させるための手段として、外装部材をオレンジ色にする必要がある。
【０００７】
特許文献１に開示された金属保護パイプなどの金属製の外装部材（管体）は、例えば外面をオレンジ色に塗装し、高電圧であることを認識させるようになっている。
【０００８】
ところで、本願発明者は、例えばアルミニウムからなる金属管体を用いて高圧電線を保護しようと考えている。この場合は、次のような問題点を有している。
【０００９】
すなわち、アルミニウム製の金属管体の外面をオレンジ色に塗装するためには、先ず表面（外面）を洗浄し、次に下地処理を施し、次に下塗りをし、次に上塗りをし、最後に熱処理をする必要があることから、処理工程が長くなり、コスト高になってしまうという問題点を有することを見いだしている。
【００１０】
また、塗装材料によっては、有機溶剤を用いる場合があり、大掛かりなＶＯＣ対策が必要になることや、その費用が嵩んでしまうという問題点を有している。上記ＶＯＣは揮発性有機化合物の略称であり、具体例としては溶剤が挙げられる。環境への放出がなされた場合には、公害等を引き起こしてしまう虞があり、これは一般に知られている。
【００１１】
また、上記処理工程を全て経ることが重要であり、例えば下地処理や下塗りを省略して上塗りだけにすると、アルミニウム表面に対する上塗りの密着性が悪くなり、部分的に塗装はじきが生じてしまうことや、塗膜が均一にならないなど、品質に影響を来してしまうという問題点を有している。尚、塗膜に関しては、この管理が難しいのは言うまでもない。
【００１２】
この他、例えば下地処理や下塗りを省略すると、金属管体に曲げを施した時に、塗装剥がれが生じてしまうという問題点を有している。
【００１３】
また、金属管体を所定位置に固定するためとして例えばクランプを用いる場合には、上記塗膜の管理が難しいことに起因してクランプの形状設計に影響を来してしまい、コスト高になってしまうという問題点を有している。
【００１４】
本発明は、上記した事情に鑑みてなされたもので、高電圧であることを認識させるためとして、この処理工程の簡素化を図ることが可能な、また、コスト低減を図ることが可能な、さらには、品質向上を図ることが可能な、自動車用高圧ワイヤハーネス及びこの製造方法を提供することを課題とする。
【課題を解決するための手段】
【００１５】
上記課題を解決するためになされた請求項１記載の本発明の自動車用高圧ワイヤハーネスは、自動車に配索される一又は複数の高圧導電路と、該高圧導電路の外装部材となる金属管体とを備え、該金属管体の端末外面と、端面と、端末内面とを、高電圧であることの認識が可能な色の収縮チューブの折り返しで覆うことを特徴とする。
【００１６】
このような特徴を有する本発明によれば、高電圧であることを認識させるためとして、金属管体の外面の一部又は全部を収縮チューブで覆うようにする。収縮チューブは、高電圧であることを認識できる色、具体的には現在規定されているオレンジ色にする。収縮チューブを用いることに関し、例えば塗装と比べて厚みの管理が容易になる。収縮チューブの厚みは、塗膜よりも寸法精度を高く出せるため、金属管体を固定する際に用いるクランプの形状設計が非常に容易になる。また、金属管体の上に部品を組み付ける場合に、この公差設定も非常に容易になる。さらに、収縮チューブを用いることにより、塗膜の管理をする必要がなくなることから、全体的な管理も非常に容易になる。この他、収縮チューブを用いることにより、例えば塗装と比べて処理工程や設備が簡素化するようになる。また、収縮チューブを用いることにより、曲げ加工を施しても塗装剥がれが生じないようになる。さらに、収縮チューブを用いることにより、金属管体に対する密着性が向上するとともに、塗装はじきや塗装斑の発生がなく、見栄えも十分に確保されるようになる。
【００１８】
このような特徴を有する本発明によれば、金属管体の端末外面から端末内面にかけて収縮チューブで覆うようにする。これにより、金属管体側で予め端部処理、すなわちエッジ処理をする必要がなくなる。本発明によれば、金属管体のエッジ処理に用いる別体部品を不要にすることができるようになる。
【００２３】
請求項２記載の本発明の自動車用高圧ワイヤハーネスは、  自動車に配索される一又は複数の高圧導電路と、該高圧導電路の外装部材となる金属管体とを備え、該金属管体の外面の一部を、平面視台形形状に切断処理してなる高電圧であることの認識が可能な色の収縮チューブを用いて覆うものとし、且つ、前記台形形状における上底及び下底に相当する部分のうち長い方をワイヤハーネス配索後の目視可能な側に配置することを特徴とする。
【００２４】
このような特徴を有する本発明によれば、収縮チューブを平面視台形形状に切断処理し、この切断処理した平面視台形形状の収縮チューブを用いて金属管体の外面の一部を覆うようにするとともに、収縮チューブに関しては、台形形状における上底及び下底に相当する部分のうち長い方をワイヤハーネス配索後の目視可能な側に配置する。これにより、収縮チューブの部分的な使用で使用量を抑制することができ、また、目視できない位置での収縮チューブの使用量も抑制することができるようになる。
【００２５】
上記課題を解決するためになされた請求項３記載の本発明の自動車用高圧ワイヤハーネスの製造方法は、
自動車に配索される一又は複数の高圧導電路の外装部材となる金属管体に対し、該金属管体の全長よりも長く、かつ該金属管体の外側に高電圧であることの認識が可能な色の収縮前の収縮チューブを準備する第一工程と、
前記金属管体の外側に前記収縮前の収縮チューブを挿入して該収縮前の収縮チューブの端末が金属管体の端末から所定の長さ外側に離れるように位置決めし、該収縮前の収縮チューブを前記金属管体に対しブカブカの状態で所定位置にセットする第二工程と、
前記金属管体に対し該金属管体の端末外面と、端面と、端末内面とを、前記収縮前の収縮チューブの端末を折り返しによって前記金属管体の内部へ挿入して覆いセットする第三工程と、
前記収縮前の収縮チューブが全体的に所定の温度となる熱を掛け、該収縮チューブを収縮させて前記金属管体に密着させる第四工程と、
前記金属管体の所定位置に曲げ加工を施して三次元的な形状にする第五工程と、を含むことを特徴とする。
【００２６】
このような特徴を有する本発明によれば、金属管体の端末外面から端末内面にかけて収縮チューブをセットし、これを収縮させるだけで、金属管体側で予め端部処理、すなわちエッジ処理をする必要がなく、高電圧であることを認識させることが可能な金属管体の製造が完了する。また、本発明によれば、金属管体のエッジ処理に用いる別体部品を不要にすることができ、金属管体に対し曲げ加工を施すことで、三次元的な形状のワイヤハーネスの製造が完了する。
【発明の効果】
【００２７】
請求項１に記載された本発明によれば、高電圧であることを認識させるためとして、この処理工程の簡素化を図ることができ、また、コスト低減を図ることができ、さらには、品質向上を図ることができるという効果を奏する。
【００２８】
請求項２に記載された本発明によれば、金属管体側でのエッジ処理を簡素化することができ、以てコスト低減を図ることができるという効果を奏する。
【００２９】
請求項３に記載された本発明によれば、管体引き出し部分の処理を簡素化することができ、以てコスト低減を図ることができるという効果を奏する。
【００３０】
請求項４に記載された本発明によれば、金属管体とコルゲートチューブとを連続させる処理を簡素化することができ、以てコスト低減を図ることができるという効果を奏する。
【００３１】
請求項５に記載された本発明によれば、収縮チューブを効率的に使用することができるという効果を奏する。
【００３２】
請求項６に記載された本発明によれば、高電圧であることを認識させるためとして、この処理工程の簡素化を図り、また、コスト低減を図り、さらには、品質向上を図ることが可能な、自動車用高圧ワイヤハーネスの製造方法を提供することができるという効果を奏する。
【図面の簡単な説明】
【００３３】
【図１】本発明の自動車用高圧ワイヤハーネスに係る図であり、（ａ）は自動車用高圧ワイヤハーネスの配索状態を示す概略図、（ｂ）は自動車用高圧ワイヤハーネスの構成図である（実施例１）。
【図２】自動車用高圧ワイヤハーネスの製造方法に係る図である。
【図３】自動車用高圧ワイヤハーネスの他の例に係る図である（実施例２、３）。
【図４】自動車用高圧ワイヤハーネスの更に他の例に係る図である（実施例４）。
【図５】図４の収縮チューブの配置に係る図である。
【図６】図４の収縮チューブの形成に係る図である。
【発明を実施するための形態】
【００３４】
自動車に配索される一又は複数の高圧導電路と、この高圧導電路の外装部材となる金属管体とを備えるワイヤハーネスは、高電圧であることを認識させるためとして、金属管体の外面の一部又は全部を収縮チューブで覆う。収縮チューブは、この色を、高電圧であることを認識できる色、具体的には現在規定されているオレンジ色にする。
【実施例１】
【００３５】
以下、図面を参照しながら実施例１を説明する。図１は本発明の自動車用高圧ワイヤハーネスに係る図である。また、図２は自動車用高圧ワイヤハーネスの製造方法に係る図である。
【００３６】
本実施例においては、ハイブリッド自動車（電気自動車や一般的な自動車であってもよいものとする）に本発明のワイヤハーネスを採用する例を挙げて説明するものとする。
【００３７】
図１において、引用符号１はハイブリッド自動車を示している。ハイブリッド自動車１は、エンジン２及びモータユニット３の二つの動力をミックスして駆動する車両であって、モータユニット３にはインバータユニット４を介してバッテリー５（電池パック）からの電力が供給されるようになっている。エンジン２、モータユニット３、及びインバータユニット４は、本実施例において前輪等がある位置のエンジンルーム６に搭載されている。また、バッテリー５は、後輪等がある自動車後部７に搭載されている（エンジンルーム６の後方に存在する自動車室内に搭載してもよいものとする）。
【００３８】
モータユニット３とインバータユニット４は、公知の高圧ワイヤハーネス８により接続されている。また、バッテリー５とインバータユニット４は、本発明のワイヤハーネス９（自動車用高圧ワイヤハーネス）により接続されている。ワイヤハーネス９は、高圧用のものとして構成されている。ワイヤハーネス９は、この中間部１０が車体床下１１の地面側に配索されている。また、車体床下１１に沿って略平行に配索されている。車体床下１１は、公知のボディであるとともに所謂パネル部材であって、所定位置には貫通孔（符号省略）が形成されている。この貫通孔には、ワイヤハーネス９が挿通されている。
【００３９】
ワイヤハーネス９とバッテリー５は、このバッテリー５に設けられるジャンクションブロック１２を介して接続されている。ジャンクションブロック１２には、ワイヤハーネス９の後端１３がコネクタ接続されている。ワイヤハーネス９の後端１３側は、自動車室内側となる床上に配索されている。床上には、ワイヤハーネス９の前端１４側も配索されている。ワイヤハーネス９の前端１４側は、インバータユニット４にコネクタ接続されている。
【００４０】
ここで本実施例での補足説明をすると、モータユニット３はモータ及びジェネレータを構成に含んでいるものとする。また、インバータユニット４は、インバータ及びコンバータを構成に含んでいるものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００４１】
先ず、ワイヤハーネス９の構成及び構造について説明をする。
【００４２】
ワイヤハーネス９は、導電路集合体１５と、この導電路集合体１５の外装部材となる金属管体１６と、金属管体１６を覆う収縮チューブ１７とを備えて構成されている。
【００４３】
導電路集合体１５は、二本の高圧電線１８と、この二本の高圧電線１８を一括してシールドする電磁シールド部材１９とを備えて構成されている（低圧電線をさらに含んでもよいものとする）。高圧電線１８は、導体及び絶縁体（被覆）を含む高圧導電路であって、電気的な接続に必要な長さを有するように形成されている。導体は、銅や銅合金やアルミニウムにより製造されている。導体に関しては、素線を撚り合わせてなる導体構造のものや、断面矩形又は丸形となる棒状の導体構造（例えば平角単心や丸単心となる導体構造であり、この場合、電線自体も棒状となる）のもののいずれであってもよいものとする。高圧電線１８は、非シールド電線となる構成を有している。高圧電線１８の端末には、コネクタ（図示省略）が設けられている。
【００４４】
尚、本実施例においては高圧電線１８を用いているが、この限りでないものとする。すなわち、公知のバスバーに絶縁体を設けて高圧導電路としたもの等を用いてもよいものとする。
【００４５】
電磁シールド部材１９は、二本の高圧電線１８を覆う電磁シールド用の部材（電磁波対策用のシールド部材）であって、導電性の金属箔を含むシールド部材、或いは金属箔単体などにて筒状に形成されている。電磁シールド部材１９は、二本の高圧電線１８の全長とほぼ同じ長さに形成されている。電磁シールド部材１９は、図示しないコネクタを介して、又は直接インバータユニット４のシールドケース等に接続されている。
【００４６】
尚、電磁シールド部材１９は、本実施例において金属箔を含んでいるが、この限りでないものとする。すなわち、電磁波対策をすることが可能であれば、例えば極細の素線を多数有する編組を用いてもよいものとする。編組は、導電性を有して筒状に形成されるものとする。
【００４７】
電磁シールド部材１９は、高圧電線１８が上記の如く非シールド電線となる構成であることから備えられている。高圧電線１８が公知のシールド電線である場合にはこの限りでないものとする。
【００４８】
金属管体１６は、金属製の管体であって、導電路集合体１５を収容するのに必要な長さを有するように形成されている。金属管体１６は、本実施例において断面円形状に形成されている（断面形状は一例であるものとする。楕円形状や長円形状、矩形状であってもよいものとする）。このような金属管体１６は、配索経路に合わせて曲げ加工が施されている。
【００４９】
金属管体１６は、本実施例においてアルミニウム製のパイプ部材が用いられている（尚、アルミニウムに限らず金属製なら特に限定されないものとする）。
【００５０】
ワイヤハーネス９は、高圧電線１８を備えることから、高電圧であることを認識させるための手段として、金属管体１６を覆うオレンジ色の収縮チューブ１７を構成に含んでいる。
【００５１】
収縮チューブ１７は、収縮して金属管体１６の外面に対し密着する筒状の部材であって、本実施例においては熱により収縮する樹脂製のチューブ（熱収縮チューブ）が用いられている。金属管体１６は、従来のようなオレンジ色の塗装をしなくても、収縮チューブ１７により塗装の代替ができるようになっている。収縮チューブ１７は、上記の如く樹脂製であることから、絶縁性を有している。
【００５２】
収縮チューブ１７の材質に関しては、塩化ビニルやＰＥＴ、ＰＢＴなどが挙げられるものとする。本実施例においては、薄く、発火し難く、曲げ等に強いという特性を有する塩化ビニル製のものが用いられている。
【００５３】
収縮チューブ１７は、金属管体１６の厚みに比べて十分に薄いものの、金属管体１６の外面に対し密着することにより、また、樹脂独特の特性を有することにより、石跳ねや水跳ね等の影響を金属管体１６にまで及ぼすことのないものになっている。
【００５４】
収縮チューブ１７は、金属管体１６の外面全体を覆うようにすることが好適であるが、これに限定されないものとする。すなわち、高電圧であることを認識させることができれば、部分的に金属管体１６を覆うようにしてもよいものとする（後述する実施例４参照）。
【００５５】
次に、ワイヤハーネス９の製造方法について説明をする。ワイヤハーネス９は、金属管体１６及び収縮チューブ１７からなる部分が本発明の特徴部分になっている。従って、この特徴部分を中心に製造工程を順に説明するものとする。
【００５６】
図２（ａ）において、所定長さの真っ直ぐな断面円形状の金属管体１６と、この金属管体１６の外径よりも大きな径の収縮チューブ１７（収縮前の収縮チューブ１７）とを準備する工程を行う。収縮前の収縮チューブ１７は、この全長が金属管体１６の全長よりも長いものが用いられている（部分的に覆う場合や、後述するエッジ処理をしない場合には、上記長さよりも短くしてもよいものとする）。
【００５７】
金属管体１６に関し、引用符号２０は金属管体１６の端末を示している。また、引用符号２１は金属管体１６の端末外面、引用符号２２は金属管体１６の端末内面を示している。
【００５８】
図２（ｂ）において、金属管体１６の外側に収縮前の収縮チューブ１７を挿入するようにしてこれらを所定位置にセットする工程を行う。収縮前の収縮チューブ１７の端末２３は、金属管体１６の端末２０から所定の長さで離れるように位置決めされるものとする。上記セット状態においては、金属管体１６に対し収縮前の収縮チューブ１７がブカブカの状態になる。
【００５９】
図２（ｃ）において、収縮前の収縮チューブ１７の端末２３を折り返しにより金属管体１６の内部へ挿入する工程を行う。この工程で端末２３を折り返して挿入するのは、金属管体１６のエッジ処理をするためである。金属管体１６は、予め端末２０のエッジ処理をしなくてもよいことになる。
【００６０】
ここまでの工程は、特許請求の範囲に記載された第一工程に相当するものとする。
【００６１】
図２（ｄ）において、収縮チューブ１７を収縮させて金属管体１６に密着させる工程を行う。収縮チューブ１７は、全体的に所定の温度となる熱が掛かることにより収縮する。収縮チューブ１７は、塩化ビニル製のものであれば約１００℃の熱が数分程度掛かるだけで十分に収縮する。金属管体１６は、この外面全体が収縮チューブ１７により覆われ、また、金属管体１６の端末外面２１から端末内面２２にかけても収縮チューブ１７により覆われるようになる。金属管体１６の端末２０のエッジ処理は、収縮チューブ１７がエッジ部分を囲むことにより完了する。
【００６２】
ここまでの工程は、特許請求の範囲に記載された第二工程に相当するものとする。尚、金属管体１６への導電路集合体１５（図１参照）の挿通工程は、上記第一工程の時に行う、又は、上記第二工程の後に行うものとする。
【００６３】
図２（ｅ）において、収縮チューブ１７にて覆われた金属管体１６の所定位置に曲げ加工を施して三次元的な形状を形成する工程を行う。曲げ加工は、公知のパイプベンダーを用いて行う。引用符号２４は曲げ加工部を示している。収縮チューブ１７は、曲げ加工部２４が形成されても、切れ等の破損（塗装の場合の剥がれに相当する不具合）が生じてしまうことはない。
【００６４】
ここまでの工程は、特許請求の範囲に記載された第三工程に相当するものとする。
【００６５】
以上、図１及び図２を参照しながら説明してきたように、本発明に係るワイヤハーネス９によれば、高電圧であることを認識させるためとして、金属管体１６の外面を収縮チューブ１７にて覆っている。このように収縮チューブ１７を用いて金属管体１６を覆うことにより、例えば塗装と比べて厚みの管理を容易にすることができるという効果を奏する。
【００６６】
また、収縮チューブ１７の厚みに関し、塗膜よりも寸法精度を高く出せるようになることから、金属管体１６を固定する際に用いるクランプの形状設計を非常に容易にすることができるという効果や、金属管体１６の上に部品を組み付ける場合に、この公差設定を非常に容易にすることができるという効果を奏する。
【００６７】
さらに、塗装の場合のような塗膜の管理をする必要がなくなることから、全体的な管理も非常に容易にすることができるという効果を奏する。
【００６８】
この他、収縮チューブ１７を用いることから、例えば塗装と比べて処理工程や設備を簡素化することができるという効果を奏する。
【００６９】
また、収縮チューブ１７を用いることから、曲げ加工部２４を形成しても塗装剥がれに相当するような不具合を防止することができるという効果を奏する。
【００７０】
さらに、収縮チューブ１７を用いることから、金属管体１６に対する密着性を向上させるとともに、塗装の場合の塗装はじきや塗装斑の発生をなくし、見栄えも十分に確保することができるという効果を奏する。
【００７１】
さらにまた、収縮チューブ１７を用い金属管体１６の端末外面２１から端末内面２２にかけてを囲うことから、金属管体１６側で予めエッジ処理をする必要性をなくすことができるという効果や、金属管体１６のエッジ処理に用いる別体部品等を不要にすることができるという効果を奏する。
【００７２】
上記効果をまとめると、高電圧であることを認識させるためとして、この処理工程の簡素化を図ることができ、また、コスト低減を図ることができ、さらには、品質向上を図ることができるという効果を奏する。
【００７３】
尚、特に限定するものでないが、実施例１においては金属管体１６を従来例のようなシールド部材として機能させていない。従って、金属管体１６は非常に簡素な構造になっている。このような簡素な構造の金属管体１６を用い、そして、収縮チューブ１７にて覆うようにしていることから、収縮チューブ１７で覆われた後の状態は当然に安定するようになっている。
【００７４】
金属管体１６は、上記にかかわらずシールド部材として機能させても当然によいものとする。
【実施例２】
【００７５】
以下、図面を参照しながら実施例２を説明する。図３（ａ）は自動車用高圧ワイヤハーネスの他の例に係る図である。尚、上記実施例１と同一の構成部材には同一の符号を付して詳細な説明を省略する。
【００７６】
図３（ａ）において、収縮チューブ１７で覆われた金属管体１６の端末２０からは、高圧導電路としてのキャブタイヤケーブル２５が引き出されている。収縮チューブ１７は、金属管体１６の他に、キャブタイヤケーブル２５の管体引き出し部分２６を含めて覆っている。
【００７７】
実施例２の場合、管体引き出し部分２６を含めて収縮チューブ１７で覆っていることから、上記実施例１の効果の他に、管体引き出し部分２６の処理、例えばテープ巻きによる固定や、封止処理、止水処理等を不要にすることができるという効果を奏する。
【実施例３】
【００７８】
以下、図面を参照しながら実施例３を説明する。図３（ｂ）は自動車用高圧ワイヤハーネスの他の例に係る図である。尚、上記実施例１、２と同一の構成部材には同一の符号を付して詳細な説明を省略する。
【００７９】
図３（ｂ）において、収縮チューブ１７で覆われた金属管体１６の端末２０には、コルゲートチューブ２７が連続している。コルゲートチューブ２７からは、導電路集合体１５が引き出されている（実施例２のキャブタイヤケーブル２５であってもよいものとする）。収縮チューブ１７は、金属管体１６の他に、コルゲートチューブ２７の管体連続部分２８を含めて覆っている。
【００８０】
尚、コルゲートチューブ２７は、曲げ自在な部分を形成するために備えられている。
【００８１】
実施例３の場合、コルゲートチューブ２７の管体連続部分２８を含めて収縮チューブ１７で覆っていることから、上記実施例１の効果の他に、金属管体１６とコルゲートチューブ２７とを連続させるテープや固定部材を不要にすることができるという効果を奏する。
【実施例４】
【００８２】
以下、図面を参照しながら実施例４を説明する。図４は自動車用高圧ワイヤハーネスの更に他の例に係る図、図５は図４の収縮チューブの配置に係る図、図６は図４の収縮チューブの形成に係る図である。尚、上記実施例１と同一の構成部材には同一の符号を付して詳細な説明を省略する。
【００８３】
図４及び図５において、ワイヤハーネス３１は、外装部材として用いられる金属管体１６と、この金属管体１６に挿通される高圧同軸複合導電路３２（高圧導電路）と、同じく金属管体１６に挿通されて高圧同軸複合導電路３２に並ぶ低圧導電路３３と、金属管体１６の一部を覆う複数の収縮チューブ３４とを備えて構成されている。このような構成のワイヤハーネス３１は、金属管体１６に対し後付けされるクランプＣを介して車両床下１１等に固定されている。
【００８４】
高圧同軸複合導電路３２は、この一本でプラス回路及びマイナス回路を有するように構成されている。すなわち、二系統の回路を有するように構成されている。具体的には、高圧同軸複合導電路３２の中心に位置する断面円形状の第一導電路３５と、この第一導電路３５の外周を所定厚さで被覆する第一絶縁体３６と、第一絶縁体３６の外側に設けられる第二導電路３７と、この第二導電路３７の外周を所定厚さで被覆する第二絶縁体３８と、第二絶縁体３８の外面に密着する筒状の電磁シールド部材３９と、この電磁シールド部材３９の外周を所定厚さで被覆するシース４０とを含んで構成されている。
【００８５】
電磁シールド部材３９は、公知の編組や金属箔等からなり、上記の如く高圧同軸複合導電路３２の構成に含まれる配置の他、次のような配置であってもよいものとする。すなわち、シース４０を設けない構成で第二絶縁体３８に対し、多少ブカブカの状態となるような配置であってもよいものとする。
【００８６】
電磁シールド部材３９は、筒状に形成された上で第二絶縁体３８の外面に密着させてもよいし、テープ状又はシート状のものを巻き付けて密着させてもよいものとする。
【００８７】
高圧導電路に関し、上記高圧同軸複合導電路３２以外としては、導体と絶縁体とを含む公知の高圧電線や、シールド電線、キャブタイヤケーブル、バスバーに絶縁体を設けたもの等が挙げられるものとする。尚、本数は一又は複数本であるものとする。
【００８８】
高圧同軸複合導電路３２は、本実施例において二系統であるが、これに限らず三系統…、ｎ系統であってもよいものとする（同軸で一本構成となるように外側へ回路を増やしていけばｎ系統になる）。
【００８９】
低圧導電路３３は、導体及び絶縁体からなる公知の低圧の電線であって、本実施例においては信号線として用いられている。低圧導電路３３は、非シールド電線として構成されている。
【００９０】
尚、高圧同軸複合導電路３２における電磁シールド部材３９とシース４０との間に、低圧用の絶縁体と低圧用の導体とを同軸に配置して低圧導電路３３の代替としてもよいものとする。
【００９１】
低圧導電路３３は、この配設が任意であるものとする。必要に応じて配設されればよいものとする。
【００９２】
図４ないし図６において、収縮チューブ３４は、高電圧であることを認識させるための部材として実施例１で備えられた収縮チューブ１７を加工してなるものであって、金属管体１６の一部を覆うことができる形状に形成されている。また、収縮チューブ３４は、以下の説明で分かるようになるが、収縮チューブ１７を効率的に使用することができる形状にも形成されている。
【００９３】
収縮チューブ３４は、収縮チューブ１７を平面視台形形状に複数切断処理することにより形成されている。切断処理に関し説明をすると、図６（ａ）の破線で示す引用符号４１の切断箇所で収縮チューブ１７は複数、連続的に切断されるようになっている。例えば、カッターやハサミ等を用いて切断されるようになっている。切断形状は、平面視台形形状で設定されている。この平面視台形形状は、収縮チューブ１７を効率的に使用することができる形状として設定されている。
【００９４】
収縮チューブ３４は、ワイヤハーネス３１の配索後の目視可能な側が大きく、逆に目視されない側は小さくなる形状に形成されている。このような形状は、平面視台形形状が有効であり、歩留まり面でも良好である。切断個所４１の位置で収縮チューブ１７が切断されると、図６（ｂ）及び（ｃ）に示す如く、平面視台形形状の収縮チューブ３４が複数形成される。
【００９５】
引用符号４２は、上記台形形状における上底を示している。また、引用符号４３は下底を示している。本実施例において、上底４２よりも下底４３の方が長くなるように設定されている。尚、引用符号４４は台形の脚を示している。
【００９６】
図４及び図５において、収縮チューブ３４は、ワイヤハーネス３１の配索後の目視可能な側に、長さの長い下底４３が位置するように配置されている（引用符号４５は目を示している。ここでは、地面側から車体床下１１のワイヤハーネス３１を目視する様子を表している）。
【００９７】
以上、図４ないし図６を参照しながら説明してきたように、収縮チューブ３４による部分的な使用により、収縮チューブ１７の使用量を抑制することができるようになっている。また、目視できない位置での収縮チューブ３４の使用量も抑制することができるようになっている。すなわち、収縮チューブ１７、３４を効率的に使用することができるという効果を奏する。
【００９８】
この他、実施例４のワイヤハーネス３１は、実施例１のワイヤハーネス９と同様の効果を奏するのは言うまでもない。
【００９９】
本発明は本発明の主旨を変えない範囲で種々変更実施可能なことは勿論である。
【符号の説明】
【０１００】
１…ハイブリッド自動車（自動車）
２…エンジン
３…モータユニット
４…インバータユニット
５…バッテリー
６…エンジンルーム
７…自動車後部
８…高圧ワイヤハーネス
９…ワイヤハーネス（自動車用高圧ワイヤハーネス）
１０…中間部
１１…車体床下
１２…ジャンクションブロック
１３…後端
１４…前端
１５…導電路集合体
１６…金属管体
１７…収縮チューブ
１８…高圧電線（高圧導電路）
１９…電磁シールド部材（シールド部材）
２０…端末
２１…端末外面
２２…端末内面
２３…端末
２４…曲げ加工部
２５…キャブタイヤケーブル（高圧導電路）
２６…管体引き出し部分
２７…コルゲートチューブ
２８…管体連続部分
３１…ワイヤハーネス（自動車用高圧ワイヤハーネス）
３２…高圧同軸複合導電路（高圧導電路）
３３…低圧導電路
３４…収縮チューブ
３５…第一導電路
３６…第一絶縁体
３７…第二導電路
３８…第二絶縁体
３９…電磁シールド部材
４０…シース
４１…切断個所
４２…上底
４３…下底
４４…台形の脚
４５…目
Ｃ…クランプ
【図１】
0005935184.tif 000002
【図２】
0005935184.tif 000003
【図３】
0005935184.tif 000004
【図４】
0005935184.tif 000005
【図５】
0005935184.tif 000006
【図６】
0005935184.tif 000007